Podtech/llm-jp-corpus-v4-ja_patent huggingface dataset:
(57)【要約】【課題】本発明は、片手のみでは取り出しが困難なティッシュも片手のみの使用、あるいは口等で容易に取り出すことができ、障害の有無にかかわらず、高齢者・障害者・幼児等、全ての人が公平かつ容易に、利用することができるティッシュボックスカバーであり、個々人の自立と、その人らしい生活を送ることを身近な場面から支援する日常生活用品であります。【手段】まず、ティッシュボックスを入れるためのカバー（１）を作成し、次にその両端にヒモを通し筒状のカバーを形成させます。    カバーの片方は開くように縫われており、（３）ここから中身のティッシュボックスを繰り返し入れ替え、使用できます。    ボックスティッシュをカバーの中へ入れ両端のヒモをしぼり、ヒモをベット柵等に縛り付けて固定すること（４）により片手のみの使用でティッシュを容易に、そして、確実に取り出すことができます。【選択図】図１
2008201471.tif 000002
【特許請求の範囲】
【請求項１】
ティッシュボックスを入れるカバーの両端にヒモを通し、筒状のカバーとなっているもの。
【請求項２】
筒状のカバーの片方は開くように縫われており、カバーが作成されているもの。
【請求項３】
ボックスティッシュをカバーの中へ入れ、両端のヒモを絞り、ベット柵等に縛って固定することにより、片手での使用が可能となるよう設計されているもの。
【発明の詳細な説明】
【発明の詳細な説明】
【技術分野】
【０００１】この発明は、高齢者や介護を必要とする人々が、片手だけの力で使用でき、ティッシュを取り出せるよう作成されたティッシュカバーであります。
【背景技術】
【０００２】従来のボックスティッシュカバーにおきましては、ボックスティッシュを袋に入れ、机の上等に置き、使用するものであり、カバーの柄や色合いから使用者の視覚を満たし、生活に彩りを添えるものでありましたが、特別な機能は有しておりませんでした。
【発明が解決しようとする課題】
【０００３】    従来のボックスティッシュカバーにおきましては、ボックスティッシュを袋に入れ、机の上等に置き、使用するものであり、特別な機能は有しておらず、また、片方の手でボックスティッシュを押さえ、もう一方の手でティッシュを取り出すといった仕組みであるため片手を負傷している場合や、脳卒中後遺症による片麻痺などから両手を思い通りに使用することが困難な場合おきましては片手のみの使用でティッシュを取り出すことは容易ではありませんでした。
このため、片手での使用を可能とし、かつ病院のベット上や車内、自宅等あらゆる場面におきましても容易にティッシュを使用できるよう、ボックスティッシュカバーを縛り、固定することで、片手のみでティッシュを取り出すことを可能とするものであります。
このティッシュカバーを使用ことにより、自らの力だけではティッシュを取り出すこと困難な場合におきましても、自らの力のみでティッシュを取り出すことが可能となります。これにより、自尊心を守り、個々人の自立を支援するだけではなく、介護者の負担をも軽減させることができるのであります。
すなわち、本発明は、高齢者・障害者・幼児等、全ての人が公平かつ容易に、また、障害の有無にかかわらず、等しく利用できますよう製作されたものでものであります。
【課題を解決する手段】
【０００４】  まず、ティッシュボックスを入れるためのカバー（１）を作成し、次にその両端にヒモを通し筒状のカバーを形成させます。
カバーの片方は開くように縫われており、（３）ここから中身のティッシュボックスを繰り返し入れ替え、使用できます。
ボックスティッシュをカバーの中へ入れ両端のヒモをしぼり、ヒモをベット柵等に縛り付けて固定すること（４）により片手のみの使用でティッシュを容易に、そして、確実に取り出すことができます。
本発明は、以上の構成によりまして、だれもが障害の有無にかかわらず公平に、かつ簡単確実に、片手のみの使用でティッシュを取り出せるティッシュカバーであります。
【発明実施の形態】
【０００５】      以下、本発明の実施の形態を説明致します。
（イ）  筒状のカバーの片方は輪で縫い、その際１０ｃｍ程度は縫わないようし、（３）この部分からティッシュボックスを繰り返し入れ替え使用できるようにします。
（ロ）  路片方は開かれるよう縫われた（３）の筒状の袋の両端にヒモを通し、筒状のカバー（２）を作成します。
（ハ）  （２）のヒモをしぼることにより、カバーは筒状の形にされ、中身のボックスティッシュ自体が外に飛び出ることはなく、繰り返し中身のティッシュボックスを入れ替え、使用することができます。
（ニ）  （２）のヒモをベットの柵等にしばりつけ、固定すること（４）により、片手で容易にティッを取り出すことができます。
本発明は以上の構成より成されております。
本発明を使用する場合におきましては、（３）の開かれた部分よりティッシュを取り出して使用し、中身のティッシュボックスがなくなり交換をおこなう際には、（２）のヒモをゆるめ、（２）の片側から中身の交換をおこないます。
（２）の両端のヒモ部分をしぼり、ティッシュボックスカバーを利用したい箇所にヒモをしばり固定することで、多様な場面におきましてもティッシュを使用することができます。脳卒中後遺症による方麻痺の方や障害を有する方等の残存能力を最大限に生かし、個々人の自立と、その人らしい生活を送ることを身近な場面から支援する日常生活用品であり、全ての人々が障害の有無にかかわらず、等しく使用することができるものであります。
【発明の効果】
【０００６】  本発明を使用することで、片手のみでは取り出しが困難なティッシュも容易に取り出すことができ、また、場所を選ばず、病院のベット上から自宅・車内等、多様な場面におき、全ての人が公平に使用することができます。
【図面の簡単な説明】
【図１】      本発明の斜視図
【図２】      本発明の要部拡大の正面図
【図３】      本発明の要部拡大の正面図
【符号の説明】
（１）袋体
（２）ヒモを通し筒状体を形成する部
（３）ティッシュボックス入れ替え部
（４）ティッシュボックスカバーを固定するヒモ部
【図１】
2008201471.tif 000003
【図２】
2008201471.tif 000004
【図３】
2008201471.tif 000005
(57)【要約】【課題】  柔軟な材質による平面状又は袋状の包み用具に物を入れて、それらの先端を締め付ける紐式き締め具を提供する。【解決手段】  止め具Ａの中心に紐を通す孔を設け、その孔に紐を通して、その先端をループ状にして止め具Ａの孔に紐の先端を戻して通す。その紐の先端を次に止め具Ｂの中心孔に通し、止め具Ａで作られたループ状の紐の中を通して、同じようなループ状の輪を作り、２つのループ状の紐が互いに交差する状態を作ることを特徴とする紐式き締め具。【選択図】図１
2008201473.tif 000002
【特許請求の範囲】
【請求項１】
止め具の中心に紐を通す孔を有し、その孔を通した先端がループ状の紐が互いに交叉している紐式き締め具。
【請求項２】
一方の止め具の先端と他方の止め具の先端が接合されて一つの止め具となり、紐を通す入口が２つに分かれている止め具を使用した請求項１の紐式き締め具。
【発明の詳細な説明】
【技術分野】
【０００１】  本発明は、柔軟な材質による平面状又は袋状の包み用具に、物を入れてその先端である開閉口を締める紐式き締め具に関するものである。
【背景技術】
【０００２】  従来は風呂敷などの柔軟な材質による平面の包み具やビニール袋などの開閉口を封止するために、単なる紐やゴムなどをグルグル巻いて封をしている状態であった。
それに対して、紐を一重のループ状にして、その中間に有孔リング体を設けた袋締め具が発明されていた。（特許文献１）  また、二本合わせのゴム紐にその紐を伸ばした状態で通せる紐の孔を有するビーズ類を通し、通したビーズ類の両端をビーズ類から抜け出し防止部を設けた袋締め具も発明されていた。（特許文献２）
【特許文献１】特開  昭５６−１２３２５７号広報
【特許文献２】特開  ２００３−１０４３９８号広報
【発明の開示】
【発明が解決しようとする課題】
【０００３】  そのため、次のような問題点があった。
（イ）平面状の包み具を包み、封入する専用具が発明されていなかった。
（ロ）袋状の包み具の開閉口を締める時、かなり手間がかかったり、締めつけ状態が固くなかったり、締め付けを解く時に手間がかかっていた。
本発明は、以上の問題点を解決するためになされたものである。
【課題を解決するための手段】
【０００４】  一方の止め具の中心に紐を通す孔を設け、その孔に締め付け用の紐を通し、その紐をループ状になるようにして、その止め具の孔に戻す。次にその戻した紐を、もう一方の止め具の中心に設けられた孔に通し、先の止め具で作られたループ状の紐の中を通して、同じようなループ状の紐の輪を作り、その紐を２つ目の止め具の孔に戻して通す。このようにして２つのループ状の紐の輪が互いに交差する状態を作る。
以上を特徴とする紐式き締め具である。
【発明の効果】
【０００５】  本発明は、風呂敷などのように柔軟な材質でできた平面状の包み具やビニール袋などのような包み具で物を包み、その包み具の先端に本発明の２本のループ状の紐を差し込んで、締め付けるようにする。このことによって、多様な包み具に物を入れた時に、その先端を本発明具で簡単に、煩わしくなく締め付けることができる。また、その締め付けを解くには止め具とループ状の紐を手で押さえ、ルーブ状の紐をゆるめると簡単に締め付け状態をを解くことができる。
【発明を実施するための最良の形態】
【０００６】  以下本発明の実施の形態を図１と図２により説明する。
（イ）一対の止め具Ａ（２ａ）と止め具Ｂ（２ｂ）は、２本の紐（１）を合わせせた状態で通せる径の孔（３ａ）（３ｂ）を有する硬質ゴム又は樹脂、金属、木製の円筒体からなる。
（ロ）一本の紐（１）の先端を止め具Ａ（２ａ）の孔（３ａ）の下方口（４ａ）から上方口（５ａ）へ貫通させた後、紐（１）を折り返してループＡ（６ａ）を形成するように紐（１）は止め具Ａ（２ａ）の上方口（５ａ）より下方口（４ａ）へ孔（３ａ）を貫通させる。
（ハ）止め具Ａ（２ａ）の孔（３ａ）を貫通して下方口（４ａ）より出た紐（１）は、止め具Ｂ（２ｂ）の下方口（４ｂ）から上方口（５ｂ）へ貫通させた後、ループＡ（６ａ）を貫通して紐（１）を折り返してループＢ（６ｂ）を形成するように、紐（１）は止め具Ｂ（２ｂ）の上方口（５ｂ）より下方口（４ｂ）へ孔（３ｂ）を貫通させる。
（ニ）ループＡ（６ａ）とループＢ（６ｂ）はループが交差するように形成させる。
（ホ）紐（１）の両端（７ａ）（７ｂ）は、繊維が解けないようにのり剤で硬化させるか、環状体で処理される。【０００７】  本発明は、以上の構成よりなるもので、本発明を使用する場合には、ループ状の２つの紐の輪（６ａ）（６ｂ）を重ねてその中に締めつけようとするものを通し、２つの止め具（２ａ）（２ｂ）を手で押さえるとともに、止め具の外側にある２本の紐（１）を同時に引くことによって締め付けたい箇所が強く締め付けられる。この締め付けの強さにより、その紐（１）の先端部を持てば、中に包んだ荷物を持ち上げて運んだりすることができるので運搬用具としても使用することができる。【０００８】  また本発明は他の実施例として図３に示すように、止め具Ａ（２ａ）と止め具Ｂ（２ｂ）の下方口（４ａ）（４ｂ）の周縁を連結部（１０）により一体にして連結することもできる。このとき孔（３ａ）（３ｂ）はいずれも紐（１）が貫通できることは勿論である。
【図面の簡単な説明】
【０００９】
【図１】本発明の全体斜視図
【図２】本発明の平面図
【図３】二つの止め具を一体化した止め具の説明図
【図４】本発明の使用状況説明図１
【図５】本発明の使用状況説明図２
【符号の説明】
【００１０】  １ａ  紐
２ａ  止め具Ａ
２ｂ  止め具Ｂ
３ａ  孔
３ｂ  孔
４ａ  下方口
４ｂ  下方口
５ａ  上方口
５ｂ  上方口
６ａ  ループＡ
６ｂ  ループＢ
７ａ  端末部Ａ
７ｂ  端末部Ｂ
８    風呂敷
９    ビニール袋
１０  連結部
１１  開閉部
【図１】
2008201473.tif 000003
【図２】
2008201473.tif 000004
【図３】
2008201473.tif 000005
【図４】
2008201473.tif 000006
【図５】
2008201473.tif 000007
(57)【要約】      （修正有）【課題】トレーや梱包材等に入っている惣菜やつまみ類を串や爪楊枝等を使用して取りそれを一時的に置く場合はトレー等の穴に刺して置くことができ、串や爪楊枝等の取り置きが容易で衛生的で、また後片付けも容易にする。【解決手段】  食品包装用トレーのフランジ部や梱包材の縁等に串や爪楊枝等を立てるための穴を開けておく。また穴の位置を分りやすくするため本体かラップへと印刷で示すか、成型にて凹凸をつくる。【選択図】図１
2008201472.tif 000002
【特許請求の範囲】
【請求項１】
食品包装用のプラスチックトレーのフランジ部あるいはそれに類する梱包材に串や爪楊枝等を立てるための穴を開ける。穴のサイズは串あるいは爪楊枝等が貫通してしまわず刺したときにそれらが立っている大きさとする。穴の数は必要に応じた数とする。
【請求項２】
食品包装用のプラスチックトレーのフランジ部あるいはそれに類する梱包材に串や爪楊枝等を立てるための穴を開けた場合、その位置が確認しやすいように印刷で表示するか、あるいは穴の周囲を凹凸等の変形加工を行い分かりやすくする。
【発明の詳細な説明】
【技術分野】
【０００１】  本発明は食品包装用トレーやそれに類する梱包材に串や爪楊枝等を立てるための穴を開けた梱包材に関するものである。
【背景技術】
【０００２】  従来スーパーやコンビ二で売っているトレー等に入った惣菜やつまみ類を串や爪楊枝等を使って食べることが多い。そして食べている時に串や爪楊枝等を一時的に置く場合は蓋に置いたり皿等の器を用いたりしている。【０００３】
【特許文献１】  特許公開２００４−１０６８６５号広報
【非特許文献１】
【発明の開示】
【発明が解決しようとする課題】
【０００４】  トレーや梱包材等に入っている惣菜やつまみ類を串や爪楊枝等を使用して取った後それを一時的に置く時は蓋や皿等の器に置いていた。蓋の場合転がったり取り置きが不便であり、器の場合はそれを用意したり片付けたりする手間がかかった。
【課題を解決するための手段】
【０００５】  食品包装用トレーのフランジ部や梱包材の縁等に串や爪楊枝等を立てるための穴を開けておく。穴の数は必要に応じた数とし穴径は串や爪楊枝等が立っている大きさとする。【０００６】  串や爪楊枝等を立てるための穴はその位置が分りやすいように印刷で示すか、成型にて凹凸をつくる。
【発明の効果】
【０００７】  トレー等に入っている惣菜やつまみ類を串や爪楊枝等を用いて取り、その串や爪楊枝等を一時的に置いておく場合はトレー等の穴に刺して置くことができる。串や爪楊枝等の取り置きが容易で衛生的であり、また後片付けも容易である。
【発明を実施するための最良の形態】
【０００８】  以下、本発明の実施の形態を図面に基づき詳細に説明する。【０００９】  図１〜図３は本発明の実施の形態に係りプラスチックトレーの例で示す。図１はその外観斜視図、図２は穴の位置を印刷にて分り易くしたもの、図３は成型形状にて凹凸をつくり分り易くしたものである。これは印刷あるいは成型の何れでもよく、また併用でも可能である。【００１０】  図１はフランジの部分に串や爪楊枝等を刺して立てられるように穴を開けてある。【００１１】  図２は穴の位置が分りやすいように容器に印刷で示したものである。【００１２】  図３は穴の位置が分りやすいよう成型にて凹凸をつくり分り易くしたものである。
【実施例】
【００１３】  惣菜、つまみ類、たこ焼き等、串や爪楊枝等を用いて食べることが多い物のトレーに適す。
【図面の簡単な説明】
【００１４】
【図１】  本発明の全体の外観斜視図でありプラスチックトレーの例を示したものである。
【図２】  穴の位置が分りやすいように容器本体に印刷で示したものである。またラップの上から印刷をすることも可能である。
【図３】  穴の位置が分りやすいよう容器へと成型にて凹凸をつくり分り易くしたものである。
【符号の説明】
【００１５】  １、本体          ２、フランジ部          ３、穴          ４、串
５、印刷          ６、成型でつくった凹凸
【図１】
2008201472.tif 000003
【図２】
2008201472.tif 000004
【図３】
2008201472.tif 000005
(57)【要約】【課題】  紐で荷物を縛る際、紐が緩まずに縛れる梱包最中の紐緩み防止パイプを提供する。【解決手段】  パイプ（１）の両方の開口部分に切れ込み（２）、切れ込み（３）を設け、その奥に割れ目（４）、割れ目（５）を設けたことを特徴とした梱包最中の紐緩み防止パイプ。【選択図】図１
2008201470.tif 000002
【特許請求の範囲】
【請求項１】
パイプ（１）の両方の開口部分に切れ込み（２）、切れ込み（３）を設け、その奥に割れ目（４）、割れ目（５）を設けたことを特徴とした梱包最中の紐緩み防止パイプ。
【発明の詳細な説明】
【技術分野】
【０００１】  本発明は、紐で荷物を縛る際、梱包作業が慣れてなくても、紐を緩まないようにして、縛れるように、パイプの両方の開口部分に切れ込みを設け、その奥に割れ目を設けた梱包最中の紐緩み防止パイプに関するものである。
【背景技術】
【０００２】  従来、荷物を紐で縛る際、紐が緩んでしまっていた。
【発明の開示】
【発明が解決しようとする課題】
【０００３】  そのため、次のような問題があった。
紐をきつく引っ張っても結ぶときに紐が緩んでしまっていた。
そのため、しっかり結ぶにはある程度の練習が必要であった。
【課題を解決するための手段】
【０００４】  パイプ（１）の両方の開口部分に切れ込み（２）、切れ込み（３）を設け、その奥に割れ目（４）、割れ目（５）を設ける。
以上を特徴とする梱包最中の紐緩み防止パイプである。
【発明の効果】
【０００５】  本発明は、梱包のとき紐が緩まずに結ぶことが出来る。【０００６】  以下本発明の実施の形態を説明する。
パイプ（１）の両側の開口部分に切れ込み（２）、切れ込み（３）を設ける。
切れ込み（２）、切れ込み（３）の奥に、それぞれ割れ目（４）、割れ目（５）を設ける。
本発明は、以上の構成よりなっている。
本発明を使用するときは、本発明の梱包最中の紐緩み防止パイプを荷物の上に置き、両方の開口部分より紐（６）、紐（７）をパイプ（１）の中で交差するように通す。
出てきた紐（６）、紐（７）を切り込み（２）、切れ込み（３）に入れる。
その際、奥の割れ目（４）、割れ目（５）までしっかり入れて、パイプ（１）の方へ紐（６）を寝かせ、軽く押さえてもう一方の紐（６）、紐（７）を引っ張って、切り込み（２）、切り込み（３）に紐（６）、紐（７）を入れて紐（６）、紐（７）を結ぶ。
これで、紐（６）、紐（７）が緩まず結ぶことができる。
また、パイプ（１）の大きさを変えることで、縛るだけのものから、荷物を持ち運ぶとき、取っ手としても使える。
【図面の簡単な説明】
【０００７】
【図１】  本発明の斜視図である。
【図２】  本発明の使用状態を示した斜視図である。
【符号の説明】
【０００８】  １  パイプ    ２  切れ込み    ３  切れ込み    ４  割れ目    ５  割れ目    ６  紐    ７  紐
【図１】
2008201470.tif 000003
【図２】
2008201470.tif 000004
(57)【要約】【課題】風呂敷よりものを包みやすし、ボタン及びスナップを留めるだけで持ち手のあるバッグになり、小さくたためハンカチ・ふくさにもなるフロシキバッグを提供する。【解決手段】風呂敷の一部を加工し（１）よりものを包みやすくし、ボタンおよびスナップ（２）を留めて持ち手のあるフロシキバッグやスナップ（３）を留めてハンカチふくさになるのが特徴である。【選択図】図２
2008201469.tif 000002
【特許請求の範囲】
【請求項１】
（イ）通常の風呂敷よりも物を包みやすい形態（１）
（ロ）ボタンス及びスナップ（２）を留めると持ち手のあるバックにもなる。ボタンをカフス状にしてリバーシブルも可能。
（ハ）スナップ（３）を留めると小さな正方形にたため、ハンカチ・ふくさになり、エコバッグとしての利便性を備える。
以上の構成よりなるフロシキバッグ
【発明の詳細な説明】
【技術分野】
【０００１】この発明は物を包む風呂敷機能に加え、持ち手のあるバッグとしても使用でき、小さくたたんでハンカチ・ふくさとしても使用可能なフロシキバッグに関するものである。
【背景技術】
【０００２】  従来、風呂敷形態のみのものか風呂敷に持ち手などの付属品を付けたバッグ形態のものがあった。
【発明の開示】
【発明が解決しようとする課題】
【０００３】  これは以上のような欠点があった。従来の風呂敷は物を包むのにいったん布を広げる手間と結び方が複雑であった。またバッグ状の風呂敷は付属品がついているため本来の風呂敷として物を包む機能が損なわれ、バッグ自体たたむとかさばっていた。
本発明は以上のような欠点をなくすためになされたものである。
【課題を解決するための手段】
【０００４】  ものを包みやすくするため風呂敷の一部を加工する（１）。
持ち手のあるバッグ状にするためボタンおよびスナップ（２）を留める。
スナップ（３）を留めるとハンカチ・ふくさになる。
【発明の効果】
【０００５】  風呂敷を広げることなく簡単に且つしっかりとものが包め、通常の風呂敷より便利である。
ボタンおよびスナップを留めるだけで持ち手のあるバッグとしても使用できる。ボタン・スナップをカフス状に取り付けることでリバーシブルのフロシキバッグになる。フロシキバッグ自体が小さな正方形にたためるためハンカチ・ふくさになりエコバッグとしての使用も可能。
【発明を実施するための最良の形態】
【０００６】以下、本発明を実施するために最良の形態について説明する。
正方形３つ分の布（縦１：横３）（１）の一部を谷折りして布を縫い合わせる。
カフス状に配置したボタンおよびスナップ（２）、スナップ（３）を所定の位置に取り付ける。
布（１）はリバーシブルにすると丈夫で且つファッション性に優れる。
【図面の簡単な説明】
【０００７】
【図１】  本発明の組立図である。
【図２】  本発明のボタンおよびスナップの取り付け図である。（ボタンの場合は対になる側はボタンホール）
【図３】  本発明の用途別完成図である。
【符号の説明】
【０００８】１  フロシキバッグの布
２  持ち手のあるバッグ状にするためのボタン及びスナップ
３  ハンカチ・ふくさ状にするためのスナップ
【図１】
2008201469.tif 000003
【図２】
2008201469.tif 000004
【図３】
2008201469.tif 000005
(57)【要約】      （修正有）【課題】強風が吹いても蝋燭の火が消える煩わしさがない蝋燭立ての風防器具を提供する。【解決手段】蝋燭に火を点けて使用する時に強風が吹いても、蝋燭を鉄又は陶器の蝋燭立て１に立て、その上にガラス又は樹脂製の透明な四角柱状の筒形の風防２をかぶせ、さらにその上部に空気穴４を設けた取り外し可能な上蓋３を取り付けてあるので火は消えない。【選択図】図３
2008091309.tif 000002
【特許請求の範囲】
【請求項１】
重みのある鉄又は陶器の台に蝋燭立てを置き、その上に空洞の透明なガラス又は樹脂からなる四角柱の筒型の風防をかぶせ、さらにその上部に空気取り入れ穴を設けた取り外し可能な蓋をつけることを特徴とする蝋燭立ての風防器具。
【発明の詳細な説明】
【技術分野】
【０００１】  本発明は、お墓等で蝋燭に火をつけて使用する際に、風ですぐに消えてしまうことを防ぐための風防器具に関することである。
【背景技術】
【０００２】  従来、お墓の蝋燭立てを使用した時、風防になっていないため、蝋燭の灯がすぐに消えて役目を果たせなかった。販売されているものは空気穴が下にあり、円筒の上端は円筒のまま空いているので、強風は吹くと蝋燭の火が消えてしまうなど、役目が果たせないでいた。
【発明の開示】
【発明が解決しようとする課題】
【０００３】  そのために、次のような問題点があった。
既存の蝋燭立ても販売されている風防器具も上蓋がなく、強風の時など風防器具としての効率が悪かった。
本発明は以上の問題点を解決しようとするものである。
【課題を解決するための手段】
【０００４】  鉄又は陶器の蝋燭立てを設け、ガラス又は樹脂で四角柱形の筒を設ける。その上に空気穴を設けた蓋を付ける。以上を特徴とする蝋燭立ての風防器具である。
【発明の効果】
【０００５】  本発明は、蝋燭立ての風防器具で、蝋燭に火を点けて使用する時に強風が吹いても空気穴のついた蓋があるので蝋燭の火が消える煩わしさがない。
【発明を実施するための最良の形態】
【０００６】以下、本発明の実施の形態を説明する。
（イ）鉄又は陶器の蝋燭立て（１）を設ける。
（ロ）蝋燭立て（１）の上にガラス又は樹脂製の透明な四角柱状の筒形の風防（２）を取り付ける。
（ハ）風防（２）の上端に、空気穴（４）を設けた上蓋（３）を取り付ける。
本発明は以上の構成よりなっている。
本発明を使用する時は、まず、重みのある蝋燭立て（１）を置き、蝋燭に火を点ける。その後に、透明な筒型の風防（２）をかぶせ、さらにその上部に空気取り入れ穴（４）を設けた取り外し可能な上蓋（３）をつける。
【図面の簡単な説明】
【０００７】
【図１】本発明の斜視図
【図２】本発明の分解斜視図
【図３】本発明の使用状況を示す斜視図
【符号の説明】
【０００８】      １  蝋燭立て
２  風防
３  上蓋
４  空気穴
【図１】
2008091309.tif 000003
【図２】
2008091309.tif 000004
【図３】
2008091309.tif 000005
(57)【要約】【課題】  光源が何らかの理由により点滅動作を余儀なくされているとき、その光を直視することが目に刺激を与え不快になることがあった。【解決手段】  本発明は、１／２周期で互いに相反する、少なくとも一対の同色・同出力の光源を近接させ、光拡散効果のある物質で密封することで、単体では点滅している光を一様に点灯している一つの光として見せることができる。【特許請求の範囲】
【請求項１】
本発明は、１／２周期で互いに相反する、少なくとも一対の同色・同出力の光源を近接させ、光拡散効果のある物質で密封することで、単体では点滅している光を一様に点灯している一つの光として見せることができる装置。
【発明の詳細な説明】
【技術分野】
【０００１】本発明は光源全体に対する。
【背景技術】
【０００２】点滅してしまう光源に対し、これまでは周波数を変更するなどの方法でしか、目に対する刺激を軽減できなかった。
【発明の開示】
【発明が解決しようとする課題】
【０００４】解決しようとする問題点は、光源が何らかの理由により点滅動作を余儀なくされているとき、その光を直視することが目に刺激を与え不快になることがあった。
【発明が解決する手段】
【０００５】本発明は、１／２周期で互いに相反する、少なくとも一対の同色・同出力の光源を近接させ、光拡散効果のある物質で密封することで、単体では点滅している光を一様に点灯している一つの光として見せることができる。
【発明の効果】
【０００６】本発明の方法では、直視の目に対する刺激を軽減することや、必要に応じて２倍の周期で点滅させることができる。
【発明を実施するための最良の形態】
【０００７】可能な限り、相反する周期を同調させ、同色にさせ、同出力にさせ、近接させることで最良の効果をあげる。
【産業上の利用可能性】
【０００９】交流電源にブリッジ接続された発光ダイオード。【００１０】点滅周期を倍化させたい光装置。
(57)【要約】【課題】エッチング時の水素ガス発生による障害を抑制することにより、電極箔の有効表面積を効率よく拡大し、化成容量の向上を図ることができる電解コンデンサ用エッチング箔の製造方法を提供する。【解決手段】塩酸水溶液にリン酸、硝酸、硫酸、シュウ酸のうち少なくとも１種を混合した水溶液中で、化学的または／および電気化学的にエッチングを行う電解コンデンサ用エッチング箔の製造方法において、エッチング液に添加剤として炭酸ガスを添加する。【選択図】図１
2008091462.tif 000002
【特許請求の範囲】
【請求項１】
少なくとも塩素イオンを含むエッチング液中で、アルミニウム箔に化学的または／および電気化学的なエッチングを行う電解コンデンサ用エッチング箔の製造方法において、
前記エッチング液中に炭酸ガスを添加することを特徴とする電解コンデンサ用エッチング箔の製造方法。
【請求項２】
前記エッチング液中における溶存炭酸ガス量が０．５〜１０００ｐｐｍであることを特徴とする請求項１に記載の電解コンデンサ用エッチング箔の製造方法。
【請求項３】
前記エッチング液には、さらに、リン酸イオン、硝酸イオン、硫酸イオンおよびシュウ酸イオンのうち少なくとも１種が配合されていることを特徴とする請求項１または２に記載の電解コンデンサ用エッチング箔の製造方法。
【発明の詳細な説明】
【技術分野】
【０００１】
本発明は、電解コンデンサ用エッチング箔の製造方法に関するものである。
【背景技術】
【０００２】
一般に、アルミニウム電解コンデンサ用のアルミニウム箔は、陽極用、陰極用とも、塩素イオンを含むエッチング液中でアルミニウム箔に化学的または／および電気化学的なエッチングを行うことにより、表面を粗面化し、表面積の拡大化を図っている（例えば、非特許文献１参照）。
【０００３】
また、エッチング液には、さらに、リン酸イオン、硝酸イオン、硫酸イオン、シュウ酸等が配合されることもある。
【０００４】
【非特許文献１】永田伊佐也著、「電解液陰極アルミニウム電解コンデンサ」、日本蓄電器工業株式会社出版、平成９年２月２４日、第２版第１刷、Ｐ２２１〜２５７
【発明の開示】
【発明が解決しようとする課題】
【０００５】
近年、電解コンデンサの小形化の要求はますます高まっており、それに伴い、電解コンデンサに用いられる電極箔には従来以上に高い静電容量が要求され、アルミニウム箔の表面積をより効率よく拡大することが望まれている。
【０００６】
しかしながら、上記のエッチング過程ではアルミニウムを溶解する際、多量の水素ガスが発生し、発生した水素ガスがアルミニウム表面に多数存在すると、エッチングピット発生の障害となり表面積を効率よく拡大させることができないという問題点がある。
【０００７】
以上の問題点に鑑みて、本発明の課題は、エッチングピットの発生をより好適化することにより静電容量の増大を図ることのできる電解コンデンサ用エッチング箔の製造方法を提供することにある。
【課題を解決するための手段】
【０００８】
上記課題を解決するために、本発明では、少なくとも塩素イオンを含むエッチング液中で、アルミニウム箔に化学的または／および電気化学的なエッチングを行う電解コンデンサ用エッチング箔の製造方法において、前記エッチング液中に炭酸ガスを添加することを特徴とする。
【０００９】
本発明において、前記エッチング液中における溶存炭酸ガス量が０．５〜１０００ｐｐｍであることが好ましい。
【００１０】
本発明において、前記エッチング液には、さらに、リン酸イオン、硝酸イオン、硫酸イオンおよびシュウ酸イオンのうち少なくとも１種が配合されていることが好ましい。
【発明の効果】
【００１１】
本発明では、エッチング液に炭酸ガスを添加するため、従来のエッチングで障害となっていた水素ガスのアルミニウム箔近傍での滞留を防止できると考えられ、その結果、エッチングピット発生が効率的に行われる。それ故、表面積を効率よく拡大することができ、静電容量の向上を図ることができる。
【００１２】
本発明では、エッチング液に対して、さらに、リン酸イオン、硝酸イオン、硫酸イオンおよびシュウ酸イオンのうち少なくとも１種を配合した場合にも適用することができる。このようなイオンは、アルミニウムに対して皮膜生成能力を備えており、かかるイオンをエッチング液に配合すると、アルミニウムの溶解と皮膜生成の双方が起こり、エッチングピットの発生、成長をより好適化することができる。
【実施例】
【００１３】
以下、本発明の実施例について説明する。本発明の実施例および比較例に用いたエッチング溶液の基本組成は、塩酸１０．０ｗｔ％、リン酸１．５ｗｔ％、硝酸１．０ｗｔ％、硫酸０．５ｗｔ％であり、純度９９．９％のアルミニウム箔をエッチングした。その際の電解エッチング条件は、電解液温度：３０℃、電圧波形：正弦波、周波数：６０Ｈｚ、電流密度：０．４Ａ／ｃｍ２とした。
【００１４】
エッチングしたアルミニウム箔については、公知の方法でケミカル洗浄を行った後、アジピン酸アンモニウム水溶液中で印加電圧が２０Ｖの条件で陽極酸化を行った。陽極酸化後、静電容量を測定した。その結果を表１および図１に示す。図１はエッチング液の溶存炭酸ガス量と、比較例に対する容量比との関係を示すグラフである。
【００１５】
【表１】
2008091462.tif 000003
【００１６】
［実施例１〜８］
上記エッチング液中に溶存炭酸ガス量が各々０．１ｐｐｍ、０．５ｐｐｍ、１．０ｐｐｍ、５．０ｐｐｍ、１０．０ｐｐｍ、５０．０ｐｐｍ、１００ｐｐｍ、１０００ｐｐｍとなるよう調整し、電極箔を作製した。
【００１７】
（比較例）
上記エッチング液中に炭酸ガスを添加せず、電極箔を作製した。
【００１８】
［試験結果］
表１および図１から明らかなように、炭酸ガスの添加によってエッチングピットの発生が効率的に行われる結果、表面積を効率よく拡大することができ、化成容量の向上を図ることができる。例えば、従来法（比較例）に比べて実施例２〜８では、化成容量を１．３〜５．７％向上させることができた。
【００１９】
すなわち、炭酸ガスの溶存量については、０．５〜１０００ｐｐｍの範囲が好適で、この範囲で安定して化成容量の改善効果が得られる。０．２ｐｐｍでは、十分な改善効果が得られない（実施例１）。また、溶存量が１０００ｐｐｍを上回る場合、さらなる容量向上は確認できなかった。
【００２０】
なお、上記実施例では、エッチング溶液を、塩酸１０．０ｗｔ％、リン酸２．０ｗｔ％、硝酸２．０ｗｔ％、硫酸１．０ｗｔ％からなる組成としたが、これに限定されるものではない。
【００２１】
また、上記実施例では、低電圧用の陽極箔を対象としたが、陰極用または中高圧用の陽極箔を使用した場合でも、炭酸ガスを添加することで静電容量の増大を図ることができる。
【図面の簡単な説明】
【００２２】
【図１】エッチング液の溶存炭酸ガス量と、比較例に対する実施例の静電容量比との関係を示すグラフである。
【図１】
2008091462.tif 000004
(57)【要約】      （修正有）【課題】自動車、オートバイのイルミネーションが単調であり、イルミネーションに付加価値が必要だと考えた。【解決手段】エンジン回転パルスもしくは車速パルス連動により、自動車、オートバイの状態に応じたイルミネーションを制御する装置を発明することにより、付加価値を追加する。【選択図】図１
2008091288.tif 000002
【特許請求の範囲】
【請求項１】
自動車、オートバイのエンジン回転パルスによって変化するイルミネーション制御機能
【請求項２】
自動車、オートバイの車速パルスによって変化するイルミネーション制御機能
【発明の詳細な説明】
【技術分野】
【０００１】
本発明は、自動車、オートバイのイルミネーションに関するものである。
【背景技術】
【０００２】
従来のイルミネーションは固定の単色である。また、単色でない場合もイルミネーションの色の移り変わり単調、もしくはICでの単純制御で色の移り変わりを固定で制御しており、運転している自動車、オートバイの状態によりイルミネーションは変化しない。
【発明の開示】
【発明が解決しようとする課題】
【０００３】
現在の技術によれば、イルミネーションとしての付加価値の提供が不足している。
そこでこの発明は、自動車、オートバイの状態によりイルミネーションが変化でき、自動車、オートバイを保有する楽しみを付加価値として追加する技術を提供することを課題とする。
【課題を解決するための手段】
【０００４】
以上の課題を解決するために、第一発明は、エンジン回転パルスに応じて、イルミネーション用の出力信号を制御することを特徴とする技術である。
【０００５】
また、第二発明は、車速パルスに応じて、イルミネーション用の出力信号を制御することを特徴とする技術である。
【発明の効果】
【０００６】
本発明により、エンジンの回転パルスもしくは、車速パルスの状態により、イルミネーション出力信号を制御することができ、色の異なる発光体をその回転数に応じて点灯させることが可能になった。それによりカラフルなイルミネーション提供が可能になった。
【発明を実施するための最良の形態】
【０００７】
請求項１にある、エンジン回転パルスに応じてイルミネーションを変化させる技術は、図１に示すように車両本体から、エンジン回転パルスにより出力される信号を１から取得し、その回転数に応じてR,G,Bに対応したイルミネーション信号を出力できることにある。また、信号出力は図１で示すR,G,Bの３つを超える多数出力も制御可能とする。イルミネーション制御装置は１から取得した回転信号を元に、任意に設定されている回転数に応じた複数組み合わせ可の出力信号をイルミネーション制御装置から行う。
【０００８】
請求項２にある、車速パルスに応じてイルミネーションを変化させる技術は、図２に示すように車両本体から、車速パルスにより出力される信号を２から取得し、その車速パルスに応じてX,Y,Zに対応したイルミネーション信号を出力できることにある。また、信号出力は図２で示すX,Y,Zの３つを超える多数出力も制御可能とする。イルミネーション制御装置は２から取得した車速パルスを元に、任意に設定されている速度に応じた複数組み合わせ可の出力信号をイルミネーション制御装置から行う。
【産業上の利用可能性】
【０００９】
本発明に関するイルミネーション制御装置は工業的に量産可能であり、自動車、オートバイに搭載させることにより、付加価値を与えることが出来るため、産業上の利用可能性を有する。
【図面の簡単な説明】
【００１０】
【図１】エンジン回転パルスからイルミネーションを変化させる仕組みを表した図面である。
【図２】車速パルスからイルミネーションを変化させる仕組みを表した図面である。
【符号の説明】
【００１１】
１  エンジン回転数パルス信号
Ｒ  信号１
Ｇ  信号２
Ｂ  信号３
２  車速信号
Ｘ  信号１
Ｙ  信号２
Ｚ  信号３
【図１】
2008091288.tif 000003
【図２】
2008091288.tif 000004
(57)【要約】【課題】小形で安価とする。【解決手段】取付板６により筐体１内を吸気口２ａ側と排気口１ａ側とに仕切り、取付板６に切り起こし加工により通気口６ａを形成し、通気口６ａの切り起こし部分６ｂは冷却空気を収納部材４方向に導くように折り曲げる。【選択図】図１
2008091592.tif 000002
【特許請求の範囲】
【請求項１】
筐体内に取り付けられた取付板上に収納部材を取り付けた半導体電力変換装置において、取付板を、筐体の下部に設けられ、冷却空気を吸入する吸気口と筐体の上部に設けられ、冷却空気を排出する排気口との間を仕切るように取り付けるとともに、取付板に切り起こし加工により通気口を形成し、かつ通気口の切り起こし部分は冷却空気を収納部材方向に導くように折り曲げられていることを特徴とする半導体電力変換装置。
【発明の詳細な説明】
【技術分野】
【０００１】
この発明は、半導体電力変換装置に関するものである。
【背景技術】
【０００２】
図３及び図４は従来の半導体電力変換装置の扉と右側面板とを除去した状態の概略斜視図及び概略縦断側面図を示し、１は金属により形成された筐体、２は筐体１の扉であり、扉２の下部には吸気口２ａが設けられる。筐体１内には金属の曲げ加工により強度を持たせた取付板３が取り付けられ、取付板３上にはトランスやリアクトル等の収納部材４が取り付けられ、筐体１の天井部には排気口１ａが形成され、排気口１ａの下部には排気ファン５が設けられる。
【０００３】
上記構成において、排気ファン５を駆動すると、冷却風は吸気口２ａより吸入され、収納部材４を冷却して排気口１ａより排出される。矢印は冷却空気の流れを示す。
【０００４】
なお、この出願の発明に関連する先行技術文献情報としては、次のものがある。
【特許文献１】特開２０００−２３２０２２号公報
【発明の開示】
【発明が解決しようとする課題】
【０００５】
上記した半導体電力変換装置においては、収納部材４から発生する熱は空気を介して筐体１の上部に伝わるため、吸気口２ａは扉２の下部に設け、排気口１ａは筐体１の上部に設けると、冷却効率が良い。トランスやリアクトル等の収納部材４も発熱するため、周辺の空気の流れを大きくすることにより冷却効率を向上することができ、収納部材４の小形化が可能となる。しかしながら、冷却空気は筐体１及び扉２と取付板３との間の狭い空間を通るため、空気の流れが悪くなり、冷却効率が上がらなかった。このため、収納部材４のサイズを大きくして、放熱表面積を増すか、あるいは別途ファンモータを用いて空気を流す方法が用いられたが、大型で高価なものとなった。
【０００６】
この発明は上記のような課題を解決するために成されたものであり、小形で安価な半導体電力変換装置を得ることを目的とする。
【課題を解決するための手段】
【０００７】
この発明の請求項１に係る半導体電力変換装置は、筐体内に取り付けられた取付板上に収納部材を取り付けた半導体電力変換装置において、取付板を、筐体の下部に設けられ、冷却空気を吸入する吸気口と筐体の上部に設けられ、冷却空気を排出する排気口との間を仕切るように取り付けるとともに、取付板に切り起こし加工により通気口を形成し、かつ通気口の切り起こし部分は冷却空気を収納部材方向に導くように折り曲げられているものである。
【発明の効果】
【０００８】
以上のようにこの発明の請求項１によれば、筐体の下部に設けられた吸気口と筐体の上部に設けられた排気口との間が取付板により仕切られ、取付板には切り起こし加工により通気口が形成され、この通気口の切り起こし部分は冷却空気を収納部材方向に導くように折り曲げられており、筐体の下部の吸気口から吸入された冷却空気は取付板の通気口をその切り起こし部分により収納部材方向に導かれて通過するので、収納部材の冷却効果が高まり、収納部材を大きくする必要がなく、ファンモータを別途設ける必要もなく、半導体電力変換装置を小形で安価にすることができる。
【発明を実施するための最良の形態】
【０００９】
以下、この発明を実施するための最良の形態を図面とともに説明する。図１はこの発明の実施最良形態による半導体電力変換装置の概略縦断側面図、図２は同じく実施最良形態による半導体電力変換装置の扉と右側面板を除去した状態を示し、（ａ）は概略斜視図、（ｂ）は収納部材未取付状態の概略斜視図を示す。図において、６は筐体１内に水平に設けられ、上部にトランスやリアクトル等の収納部材４が取り付けられた取付板であり、取付板６は筐体１内を下部の吸気口２ａ側と上部の排気口１ａ側とに仕切る。取付板６における収納部材４の前後又は左右には切り起こし加工により通気口６ａを形成し、通気口６ａの切り起こし部分６ｂは冷却空気を収納部材４方向に導くように折り曲げられている。
【００１０】
上記構成において、排気ファン５を駆動すると、冷却風は吸気口２ａより吸入され、矢印に示すように、筐体１内を吸気口２ａ側と排気口１ａ側とに仕切る取付板６の通気口６ａを通過し、通気口６ａの切り起こし部分６ｂに案内されて収納部材４方向に導かれ、排気口１ａから排気される。従って、収納部材４は効果的に冷却され、小形化が可能となり、筐体１も小形化が可能となる。又、別途ファンモータを設ける必要も無く、安価にすることができる。
【図面の簡単な説明】
【００１１】
【図１】この発明の実施最良形態による半導体電力変換装置の概略縦断側面図である。
【図２】実施最良形態による半導体電力変換装置の扉と右側面板を除去した状態を示し、（ａ）は概略斜視図、（ｂ）は収納部材未取付状態の概略斜視図である。
【図３】従来の半導体電力変換装置の扉と右側面板を除去した状態の概略斜視図である。
【図４】従来の半導体電力変換装置の概略縦断側面図である。
【符号の説明】
【００１２】
１…筐体
１ａ…排気口
２…扉
２ａ…吸気口
４…収納部材
５…排気ファン
６…取付板
６ａ…通気口
６ｂ…切り起こし部分
【図１】
2008091592.tif 000003
【図２】
2008091592.tif 000004
【図３】
2008091592.tif 000005
【図４】
2008091592.tif 000006
(57)【要約】【課題】  弁体の開弁リフトを調節できる真空破壊弁を提供する。【解決手段】  弁ケーシングは流体配管系に接続される流入口１を有する流入口側部材２と大気に開口される大気口３を有する大気口側部材４をねじ結合して形成し、内部に流入口１と大気口３が連通する弁室５を有する。大気口側部材４の内端に環状弁座６を形成する。環状弁座６を開閉するディスク状弁体７をコイルばね１７で環状弁座６へ付勢して弁室５内に配置する。常時はディスク状弁体７が環状弁座６を閉口し流入口１側が真空状態になったときにディスク状弁体７が環状弁座６を開口する。ディスク状弁体７の両面に弁棒８を突設する。ディスク状弁体７の両側に弁棒８の外周が摺接する流入口側ガイド部材１０の案内管１２と大気口側ガイド部材１３の案内管１５を設ける。弁棒８にストッパ部材１８をねじ結合して流入口側ガイド部材１０の案内管１２との距離を調節可能とする。【選択図】      図１
2008121875.tif 000002
【特許請求の範囲】
【請求項１】
流体配管系に接続される流入口と大気に開口される大気口を有する弁ケーシング内に流入口と大気口が連通する弁室を形成し、大気口と弁室の間に環状弁座を設け、環状弁座を開閉する弁体をばねで環状弁座へ付勢して弁室内に配置し、常時は弁体が環状弁座を閉口し流入口側が真空状態になったときに弁体が環状弁座を開口するものにおいて、弁体をディスク状に形成し、ディスク状弁体の両面に弁棒を突設し、ディスク状弁体の両側に弁棒の外周が摺接するガイド部材を設け、弁棒にストッパ部材をねじ結合してガイド部材との距離を調節可能としたことを特徴とする真空破壊弁。
【発明の詳細な説明】
【技術分野】
【０００１】
本発明は、流体配管や流体機器等の流体配管系に接続して流体配管系が真空状態になったときに大気を導入して真空状態を破壊する真空破壊弁に関する。
【背景技術】
【０００２】
従来の真空破壊弁は、流体配管系に接続される流入口と大気に開口される大気口を有する弁ケーシング内に流入口と大気口が連通する弁室を形成し、大気口と弁室の間に環状弁座を設け、環状弁座を開閉する球状弁体をばねで環状弁座へ付勢して弁室内に配置し、常時は球状弁体が環状弁座を閉口し流入口側が真空状態になったときに球状弁体が環状弁座を開口するものである。
【０００３】
上記従来の真空破壊弁は、弁体の開弁リフトを調節できないために、大気口から流入口への大気の導入量を調節できなかった。そのため、導入量が少なければ真空破壊に時間が掛かり、逆に導入量が多ければ無駄な設計となってしまう問題点があった。
【特許文献１】特開２００５−９０５４３
【発明の開示】
【発明が解決しようとする課題】
【０００４】
解決しようとする課題は、弁体の開弁リフトを調節できる真空破壊弁を提供することである。
【課題を解決するための手段】
【０００５】
本発明は、流体配管系に接続される流入口と大気に開口される大気口を有する弁ケーシング内に流入口と大気口が連通する弁室を形成し、大気口と弁室の間に環状弁座を設け、環状弁座を開閉する弁体をばねで環状弁座へ付勢して弁室内に配置し、常時は弁体が環状弁座を閉口し流入口側が真空状態になったときに弁体が環状弁座を開口するものにおいて、弁体をディスク状に形成し、ディスク状弁体の両面に弁棒を突設し、ディスク状弁体の両側に弁棒の外周が摺接するガイド部材を設け、弁棒にストッパ部材をねじ結合してガイド部材との距離を調節可能としたことを特徴とする。
【発明の効果】
【０００６】
本発明は、ストッパ部材とガイド部材との距離を調節することにより、ディスク状弁体の開弁リフトを調節できるので、大気口から流入口への大気の導入量を調節できるという優れた効果を生じる。
【発明を実施するための最良の形態】
【０００７】
本発明は、弁体をディスク状に形成し、ディスク状弁体の両面に弁棒を突設し、ディスク状弁体の両側に弁棒の外周が摺接するガイド部材を設け、弁棒にストッパ部材をねじ結合してガイド部材との距離を調節可能としたものである。そのため、ストッパ部材とガイド部材との距離を短くするとディスク状弁体の開弁リフトを小さくでき、ストッパ部材とガイド部材との距離を長くするとディスク状弁体の開弁リフトを大きくできる。
【実施例１】
【０００８】
上記の技術的手段の具体例を示す実施例を説明する（図１参照）。弁ケーシングは流体配管系に接続される流入口１を有する流入口側部材２と大気に開口される大気口３を有する大気口側部材４をねじ結合して形成し、内部に流入口１と大気口３が連通する弁室５を有する。大気口側部材４の内端に環状弁座６を形成する。環状弁座６の流入口１側に環状弁座６を開閉するディスク状弁体７を配置する。ディスク状弁体７の中心孔に弁棒８を嵌挿し溶接により固着する。
【０００９】
流入口側部材２に流入口側ガイド部材１０を形成する。流入口側ガイド部材１０は４本のリブ１１を介して流入口１と大気口３の中心軸上に案内管１２を形成したものであり、案内管１２の内周壁面に弁棒８の流入口側部分の外周が摺接する。大気口側部材４に大気口側ガイド部材１３を形成する。大気口側ガイド部材１３も流入口側ガイド部材１０と同様に４本のリブ１４を介して流入口１と大気口３の中心軸上に案内管１５を形成したものであり、案内管１５の内周壁面に弁棒８の大気口側部分の外周が摺接する。流入口側ガイド部材１０のリブ１１に段部１６を形成し、この段部１６とディスク状弁体７の間にディスク状弁体７を環状弁座６に付勢するコイルばね１７を配置する。弁棒８にダブルナットからなるストッパ部材１８をねじ結合して流入口側ガイド部材１０の案内管１２との距離を調節可能とする。ディスク状弁体７と流入口側ガイド部材１０の案内管１２との間に位置するストッパ部材１８は大気口側ガイド部材１３の案内管１５の左方に位置する弁軸８の部位にねじ結合することもできる。
【００１０】
ディスク状弁体７は常時は流入口１の流体圧力とコイルばね１７の付勢力が大気口３の流体圧力に打ち勝っているので環状弁座６を閉口している。そして、ディスク状弁体７は流入口１側が真空状態になり、流入口１の流体圧力とコイルばね１７の付勢力が大気口３の流体圧力よりも小さくなると、大気圧によってコイルばね１７を圧縮して環状弁座６を開口し、大気口３の大気を流入口１に導入して真空状態を破壊する。
【図面の簡単な説明】
【００１１】
【図１】本発明の真空破壊弁の断面図。
【符号の説明】
【００１２】
１  流入口
２  流入口側部材
３  大気口
４  大気口側部材
５  弁室
６  環状弁座
７  ディスク状弁体
８  弁棒
１０  流入口側ガイド部材
１３  大気口側ガイド部材
１７  コイルばね
１８  ストッパ部材
【図１】
2008121875.tif 000003